(57)【特許請求の範囲】
【請求項１】
所定の動画像を表示する画像表示手段と、
前記画像表示手段にて前記所定の動画像を表示しているときに、使用者の視線位置を順次検出して複数の視線位置情報を順次出力する視線検出手段と、
前記所定の動画像に対して定められた複数の視線位置情報を予め記憶する記憶手段と、
前記視線検出手段から順次出力される複数の視線位置情報を、前記記憶手段に記憶されている複数の視線位置情報と比較する比較手段と、
前記比較手段の比較結果に基づいて、プロテクトの解除を制御する制御手段とを備えたことを特徴とするプロテクト装置。
【請求項２】
所定の動画像を表示する画像表示手段と、
前記画像表示手段にて前記所定の動画像を表示しているときに、使用者の視線位置を順次検出して複数の視線位置情報を順次出力する視線検出手段と、
前記視線検出手段が視線位置を検出するタイミング情報を順次出力するタイミング情報出力手段と、
前記所定の動画像に対して定められた複数の視線位置情報及び複数のタイミング情報を予め記憶する記憶手段と、
前記視線検出手段から順次出力される複数の視線位置情報及び前記タイミング情報出力手段から順次出力される複数のタイミング情報を、前記記憶手段に記憶されている複数の視線位置情報及び複数のタイミング情報と比較する比較手段と、
前記比較手段の比較結果に基づいて、プロテクトの解除を制御する制御手段とを備えたことを特徴とするプロテクト装置。
【請求項３】
所定の動画像を表示する画像表示手段と、
前記画像表示手段にて前記所定の動画像を表示しているときに、使用者の視線位置を順次検出して複数の視線位置情報を順次出力する視線検出手段と、
前記視線検出手段によって順次検出される視線位置の検出順序に関する情報を順次出力する検出順序情報出力手段と、
前記所定の動画像に対して定められた複数の視線位置情報及び検出順序情報を記憶する記憶手段と、
前記視線検出手段から順次出力される複数の視線位置情報及び前記検出順序情報出力手段から順次出力される検出順序情報を、前記記憶手段に記憶されている複数の視線位置情報及び検出順序情報と比較する比較手段と、
前記比較手段の比較結果に基づいて、プロテクトの解除を制御する制御手段とを備えたことを特徴とするプロテクト装置。
【請求項４】
前記制御手段は、前記比較手段の比較結果が実質的に一致したときのみ、プロテクトを解除することを特徴とする請求項１乃至３の何れか１項に記載のプロテクト装置。
【請求項５】
所定の動画像を表示する画像表示手段と、使用者の視線位置を順次検出して複数の視線位置情報を順次出力する視線検出手段と、前記所定の動画像に対して定められた複数の視線位置情報を予め記憶する記憶手段と、前記視線検出手段から順次出力される複数の視線位置情報を、前記記憶手段に記憶されている複数の視線位置情報と比較する比較手段と、前記比較手段の比較結果に基づいて、プロテクトの解除を制御する制御手段とを有するプロテクト装置の制御方法であって、
前記画像表示手段が、前記所定の動画像を表示する画像表示ステップと、
前記画像表示手段が前記所定の動画像を表示しているときに、前記視線検出手段が、使用者の視線位置を順次検出して複数の視線位置情報を順次出力する視線検出ステップと、
前記比較手段が、前記視線検出手段から順次出力される複数の視線位置情報を、前記記憶手段に記憶されている複数の視線位置情報と比較する比較ステップと、
前記比較ステップの比較結果に基づいて、前記制御手段が、プロテクトの解除を制御する制御ステップとを備えたことを特徴とするプロテクト装置の制御方法。
【請求項６】
所定の動画像を表示する画像表示手段と、使用者の視線位置を順次検出して複数の視線位置情報を順次出力する視線検出手段と、前記視線検出手段が視線位置を検出するタイミング情報を順次出力するタイミング情報出力手段と、前記所定の動画像に対して定められた複数の視線位置情報及び複数のタイミング情報を予め記憶する記憶手段と、前記視線検出手段から順次出力される複数の視線位置情報及び前記タイミング情報出力手段から順次出力される複数のタイミング情報を、前記記憶手段に記憶されている複数の視線位置情報及び複数のタイミング情報と比較する比較手段と、前記比較手段の比較結果に基づいて、プロテクトの解除を制御する制御手段とを有するプロテクト装置の制御方法であって、
前記画像表示手段が、前記所定の動画像を表示する画像表示ステップと、
前記画像表示手段が前記所定の動画像を表示しているときに、前記視線検出手段が、使用者の視線位置を順次検出して複数の視線位置情報を順次出力する視線検出ステップと、
前記視線検出手段が視線位置情報を出力する度に、前記タイミング情報出力手段が、タイミング情報を順次出力するタイミング情報出力ステップと、
前記比較手段が、前記視線検出手段から順次出力される複数の視線位置情報及び前記タイミング情報出力手段から順次出力される複数のタイミング情報を、前記記憶手段に記憶されている複数の視線位置情報及び複数のタイミング情報と比較する比較ステップと、
前記比較ステップの比較結果に基づいて、前記制御手段が、プロテクトの解除を制御する制御ステップとを備えたことを特徴とするプロテクト装置の制御方法。
【請求項７】
所定の動画像を表示する画像表示手段と、使用者の視線位置を順次検出して複数の視線位置情報を順次出力する視線検出手段と、前記視線検出手段によって順次検出される視線位置の検出順序に関する情報を順次出力する検出順序情報出力手段と、前記所定の動画像に対して定められた複数の視線位置情報及び検出順序情報を記憶する記憶手段と、前記視線検出手段から順次出力される複数の視線位置情報及び前記検出順序情報出力手段から順次出力される検出順序情報を、前記記憶手段に記憶されている複数の視線位置情報及び検出順序情報と比較する比較手段と、前記比較手段の比較結果に基づいて、プロテクトの解除を制御する制御手段とを有するプロテクト装置の制御方法であって、
前記画像表示手段が、前記所定の動画像を表示する画像表示ステップと、
前記画像表示手段が前記所定の動画像を表示しているときに、前記視線検出手段が、使用者の視線位置を順次検出して複数の視線位置情報を順次出力する視線検出ステップと、
前記検出順序情報出力手段が、前記視線検出手段によって検出される視線位置の検出順序に関する情報を順次出力する検出順序情報出力ステップと、
前記比較手段が、前記視線検出手段から順次出力される複数の視線位置情報及び前記検出順序情報出力手段によって順次出力される複数の検出順序情報を、前記記憶手段に記憶されている複数の視線位置情報及び複数の検出順序情報と比較する比較ステップと、
前記比較ステップの比較結果に基づいて、前記制御手段が、プロテクトの解除を制御する制御ステップとを備えたことを特徴とするプロテクト装置の制御方法。
【請求項８】
前記制御ステップにおいて、前記比較ステップの比較結果が実質的に一致したときのみ、プロテクトを解除することを特徴とする請求項５乃至７の何れか１項に記載のプロテクト装置の制御方法。
【発明の詳細な説明】
【０００１】
【発明の属する技術分野】
本発明は、特定の使用者のみが使用可能となるように、特定の使用者以外の者に機器の使用制限を付加するプロテクト装置及びその制御方法に関するものである。
【０００２】
【従来の技術】
例えば、パーソナルコンピュータ（以下、パソコンと言う）機器では、特定の使用者以外の者が使用することができないように、プロテクト（使用制限）がかけらている場合がある。
このようなプロテクトがかけられたパソコンは、キーボードから予め定められた所定のパスワードを入力することにより、プロテクトが解除され使用可能な状態となるようになされている。
【０００３】
したがって、その所定のパスワードを知っている特定の使用者のみが、そのパソコンを使用することができ、特定の使用者以外の者は使用することができない。これにより、例えば、パソコン内部に記憶されている様々な情報等を部外者等から保護することができる。
【０００４】
【発明が解決しようとする課題】
しかしながら、特定の使用者以外の者に、上述のような機器のプロテクトを付加する従来のプロテクト装置では、所定のパスワードとして、入力キーの数の組み合わせや単純なキャラクタが用いられていたため、特定の使用者以外の者からそのパスワードが簡単に推測されてしまい、プロテクトが簡単に破られる可能性が大きかった。
仮に、パスワードを複雑なものにして、特定の使用者以外の者から推測されにくくしようとすると、特定の使用者までもが、そのパスワードを覚えることが困難となってしまう。
【０００５】
そこで、本発明は、上記の欠点を除去するために成されたもので、簡単なパスワードで機器の高度なプロテクトを付加することができるプロテクト装置及びその制御方法を提供することを目的とする。
【０００６】
【課題を解決するための手段】
本発明のプロテクト装置は、所定の動画像を表示する画像表示手段と、前記画像表示手段にて前記所定の動画像を表示しているときに、使用者の視線位置を順次検出して複数の視線位置情報を順次出力する視線検出手段と、前記所定の動画像に対して定められた複数の視線位置情報を予め記憶する記憶手段と、前記視線検出手段から順次出力される複数の視線位置情報を、前記記憶手段に記憶されている複数の視線位置情報と比較する比較手段と、前記比較手段の比較結果に基づいて、プロテクトの解除を制御する制御手段とを備えたことを特徴とする。
本発明のプロテクト装置は、所定の動画像を表示する画像表示手段と、前記画像表示手段にて前記所定の動画像を表示しているときに、使用者の視線位置を順次検出して複数の視線位置情報を順次出力する視線検出手段と、前記視線検出手段が視線位置を検出するタイミング情報を順次出力するタイミング情報出力手段と、前記所定の動画像に対して定められた複数の視線位置情報及び複数のタイミング情報を予め記憶する記憶手段と、前記視線検出手段から順次出力される複数の視線位置情報及び前記タイミング情報出力手段から順次出力される複数のタイミング情報を、前記記憶手段に記憶されている複数の視線位置情報及び複数のタイミング情報と比較する比較手段と、前記比較手段の比較結果に基づいて、プロテクトの解除を制御する制御手段とを備えたことを特徴とする。
本発明のプロテクト装置は、所定の動画像を表示する画像表示手段と、前記画像表示手段にて前記所定の動画像を表示しているときに、使用者の視線位置を順次検出して複数の視線位置情報を順次出力する視線検出手段と、前記視線検出手段によって順次検出される視線位置の検出順序に関する情報を順次出力する検出順序情報出力手段と、前記所定の動画像に対して定められた複数の視線位置情報及び検出順序情報を記憶する記憶手段と、前記視線検出手段から順次出力される複数の視線位置情報及び前記検出順序情報出力手段から順次出力される検出順序情報を、前記記憶手段に記憶されている複数の視線位置情報及び検出順序情報と比較する比較手段と、前記比較手段の比較結果に基づいて、プロテクトの解除を制御する制御手段とを備えたことを特徴とする。
【０００８】
【発明の実施の形態】
以下、本発明の実施の形態について図面を用いて説明する。
【０００９】
まず、第１の実施の形態について説明する。
【００１０】
本発明に係るプロテクト方法は、例えば、図１に示すようなプロテクト装置１００により実施される。
また、このプロテクト装置１００は、本発明に係るプロテクト装置を適用したものである。
【００１１】
プロテクト装置１００は、特定の使用者以外の者に、図示していない任意の機器のプロテクトを付加するようになされており、上記図１に示すように、アイパット１０１と、アイパット１０１の出力が供給される視線検出回路１０３と、視線検出回路１０３の出力が各々供給されるビデオコントロール回路１０５及び視線位置コード化回路１０７と、視線位置コード化回路１０７の出力が供給されビデオコントロール回路１０５と接続されたパスワード確認回路１１４と、パスワード確認回路１１４と接続されたメモリ１１０と、ビデオコントロール回路１０５に対して出力する入力回路１１９と、ビデオコントロール回路１０５の出力が供給されるビデオ再生回路１０４と、ビデオ再生回路１０４の出力が供給される画像表示器１０２とを備えている。
【００１２】
まず、アイパット１０１は、視線検出回路１０３と画像表示器１０２との使用者の目１５０の位置を一定に保つようになされている。
また、画像表示器１０２は、液晶表示パネルやモニタ等からなり、ビデオ再生回路１０４により図示していないビデオテープを再生して得た動画像が画面表示されるようになされている。
さらに、入力回路１１９は、キーボード等からなり、暗号化された番号（暗証番号）が入力されるようになされている。
さらにまた、メモリ１１０は、ＥＥＰＲＯＭ（Electrically Erasable Programmable read-only memory ）等からなり、後述するパスワードの確認で用いる情報（ｘ，ｙ，ｔ）が予め記憶されている。
【００１３】
ここで、図２は、上述のようなプロテクト装置１００の動作を示すフローチャートである。
以下、上記図１及び図２を用いて、プロテクト装置１００の動作について説明する。
【００１４】
先ず、入力回路１１９で暗証番号が入力されると、その暗証番号情報は、ビデオコントロール回路１０５に供給される（ステップＳ２）。
上記暗証番号は、上述したビデオテープの再生開始位置、すなわち再生開始場面を示すものである。
【００１５】
次に、ビデオコントロール回路１０５は、入力回路１１９からの暗証番号情報により示される上記ビデオデープの再生開始位置から再生処理を行うように、ビデオ再生回路１０４を制御する。これにより、ビデオ再生回路１０４は、暗証番号により示された位置から上記ビデオテープの再生処理を行い、その再生画像情報を画像表示器１０２に供給する。したがって、画像表示器１０２には、例えば、図３に示すような動画像Ｇが画面表示される（ステップＳ３）。
【００１６】
次に、使用者は、画像表示器１０２で画面表示された動画像Ｇを見ながら、上記図３に示すように、その動画像Ｇ上に同時に表示されているマークＳから視線を動かし始め、パスワードとなっている視線位置ＰＷに従って、マークＥに向かって視線を移動させる。そして、使用者がマークＥを見た時点で、視線の入力が終了となる（ステップＳ４）。
【００１７】
このときの視線の移動は、視線検出回路１０３により検出される。すなわち、視線検出回路１０３は、アイパット１０１に押しつけられた目１５０が、画像表示器１０２の表示画面のどの位置を見ているのかを視線位置情報ＰＷ（Ｘ，Ｙ）として検出し、その検出結果を視線位置コード化回路１０７及びビデオコントロール回路１０５に各々供給する。
また、ビデオ再生回路１０４は、例えば、上記ビデオテープの再生を開始すると同時に、回路内部の図示していないカウンタ、例えば、再生画像のフレーム数をカウントするフレームカウンタの動作を開始させ、そのカウンタで発生するカウント値を、視線の移動タイミングを示す時間情報（Ｔ）（以下、カウンタ情報（Ｔ）とも言う）としてビデオコントロール回路１０５を介してパスワード確認回路１１４に供給する。
すなわち、視線が動画像Ｇ上のＰＷ（Ｘ，Ｙ）にあるタイミング（視線の移動タイミング）を示す時間情報（Ｔ）として、動画像Ｇの再生時に発生するカウント値を用いている。
換言すると、動画像を表示しながら視線位置変化の座標と、その座標上に視線位置が検出される時刻、タイミングを検出するわけである。この操作を使用者が自然に行えるよう、動画像を見る操作によって、視線位置を入力している。
尚、視線位置と予め記憶されている座標とが完全に一致する必要はなく、記憶されている座標の周囲の所定範囲を検出領域とする。この所定範囲の検出領域は、検出するタイミングに対しても同様に設けられている。
【００１８】
次に、上述のようにして入力された視線、すなわちパスワードの確認を行う。
【００１９】
具体的に言うと、先ず、視線位置コード化回路１０７は、視線検出回路１０３からの視線位置情報ＰＷ（Ｘ，Ｙ）をコード化して、Ｘ軸、Ｙ軸のディジタルデータとしてパスワード確認回路１１４に供給する。
このとき、上述したように、パスワード確認回路１１４には、カウンタ情報（Ｔ）がビデオコントロール回路１０５を介して供給されている。また、メモリ１１０には、位置情報（ｘ，ｙ）と、その位置情報（ｘ，ｙ）に合致した時間情報（ｔ）、すなわち位置（ｘ，ｙ）に視線があるべきタイミング（所定の視線の移動タイミング）を示す時間情報（ｔ）とからなる情報（ｘ，ｙ，ｔ）が予め記憶されている。
そこで、パスワード確認回路１１４は、メモリ１１０の情報（ｘ，ｙ，ｔ）と、視線位置コード化回路１０７からの視線位置情報（Ｘ，Ｙ）、及びビデオコントロール回路１０５からのカウンタ情報（Ｔ）とを各々比較する（ステップＳ５）。
【００２０】
次に、パスワード確認回路１１４は、ステップＳ５での比較結果により、メモリ１１０の情報（ｘ，ｙ，ｔ）と、視線位置コード化回路１０７及びビデオコントロール回路１０５からの情報（Ｘ，Ｙ，Ｔ）が実質的に一致（所定範囲内に入っていれば一致と見る）しているか否かを判断する（ステップＳ６）。
【００２１】
ステップＳ６の判断の結果、各情報が一致していた場合、パスワード確認回路１１４は、プロテクトを解除して機器が使用可能状態となるように、装置全体の動作制御を行う（ステップＳ７）。
したがって、この場合には、機器のプロテクトが解除され、その機器は使用可能な状態となる。
【００２２】
一方、ステップＳ６の判断の結果、各情報が一致していない場合、パスワード確認回路１１４は、例えば、エラー画面を表示するように、画像表示器１０２を制御する（ステップＳ８）。
したがって、この場合には、機器のプロテクトは解除されず、その機器は使用不可な状態のままとなり、使用者が再度、上記図３に示すような視線位置ＰＷに従って、且つ所定の移動タイミングで、マークＳからマークＥに視線を移動させない限り、プロテクトは解除されない。
【００２３】
上述のように、このプロテクト装置１００では、暗証番号により示される動画像Ｇ、その動画像Ｇ上での視線位置ＰＷ、及び視線の移動タイミングを示す時間情報Ｔをパスワードとして、３次元プロテクトをかけるように構成したことにより、特定の使用者以外の者からそのパスワードが簡単に推測されてしまい、機器にかけられたプロテクトが簡単に破られる、ということを防ぐことができる。また、パスワードに画像を用いているため、特定の使用者はパスワードを容易に覚えておくことができる。
したがって、このプロテクト装置１００は、簡単なパスワードで特定の使用者以外の者に、機器の高度なプロテクトを付加することができる。
【００２４】
つぎに、第２の実施の形態について説明する。
【００２５】
本発明に係るプロテクト方法は、例えば、図４に示すようなシステム２００により実施される。
また、このシステム２００は、本発明に係るプロテクト装置を適用したものである。
【００２６】
システム２００は、上記図４に示すように、パソコン本体２１６に、カムコーダ２１５、モニタ２１７、及びキーボード２１８が各々接続された構成としている。
また、システム２００は、例えば、上記図１のプロテクト装置１００の同様の構成を用いることにより、特定の使用者以外の者に、パソコン本体２１６のプロテクトを付加するようになされている。
【００２７】
ここで、図５は、システム２００の内部構成を具体的に示したブロック図である。
【００２８】
上記図５に示すように、カムコーダ２１５は、アイパッド１０１と、アイパッド１０１の出力が供給される視線検出回路１０３と、視線検出回路１０３の出力が各々供給される視線位置コード化回路１０７及びビデオコントロール回路１０５と、ビデオコントロール回路１０５の出力が供給されるビデオ再生回路１０４と、ビデオ再生回路１０４の出力が供給される画像表示器１０２とを備えている。
【００２９】
また、パソコン本体２１６（以下、単にパソコン２１６とも言う）は、各種の処理を行う処理回路２１６ａと、ＨＤＤ（Hard Disk Drive ）等に設けられたメモリ１１０とを備えている。
【００３０】
さらに、キーボード２１８は、入力回路１１９を備えており、この入力回路１１９と、パソコン本体２１６内部の処理回路２１６ａとが接続されている。
【００３１】
そして、カムコーダ２１５とパソコン本体２１６は、通信回路２１０ａ及び２１０ｂにより接続されている。
すなわち、カムコーダ２１５の視線位置コード化回路の出力が通信回路２１０ａに供給されるようになされている。また、通信回路２１０ａには、カムコーダ２１５のビデオコントロール回路１０５が接続されていると共に、通信手段２１０ｂを介して、パソコン本体２１６内部の処理回路２１６ａとも接続されている。
【００３２】
尚、上記図５のシステム２００の内部構成において、上記図１のプロテクト装置１００と同様に動作する箇所には同じ符号を付し、その詳細な説明は省略する。
【００３３】
先ず、上述した第１の実施の形態と同様にして、キーボード２１８で暗証番号が入力されると、その暗証番号情報は、パソコン本体２１６の処理回路２１６ａ、通信手段２１０ｂ、及び通信手段２１０ａを順次介して、カムコーダ２１５内部のビデオコントロール回路１０５に供給される。
【００３４】
次に、カムコーダ２１５において、ビデオコントロール回路１０５は、通信手段２１０ａからの暗証番号情報により示される図示していないビデオデープの再生位置から再生処理を行うように、ビデオ再生回路１０４を制御する。
これにより、ビデオ再生回路１０４は、上記ビデオテープの暗証番号により示された位置から再生を行い、その再生画像情報を画像表示器１０２に供給する。したがって、画像表示器１０２には、上記図３に示したような動画像Ｇが画面表示される。
【００３５】
そして、上述した第１の実施の形態と同様にして、視線の入力が開始されると、その視線位置情報（Ｘ，Ｙ）は、視線検出回路１０３で検出され、視線位置コード化回路１０７でコード化され、通信手段２１０ａ及び２１０ｂを順次介してパソコン本体２１６内部の処理回路２１６ａに供給される。
また、これと同時に、上述したような時間情報（Ｔ）も、ビデオ再生回路１０４からビデオコントロール回路１０５、通信手段２１０ａ及び２１０ｂを順次介してパソコン本体２１６内部の処理回路２１６ａに供給される。
【００３６】
次に、パソコン本体２１６において、処理回路２１６ａは、メモリ１１０に予め記憶されている情報（ｘ，ｙ，ｔ）と、通信手段２１０ｂからの位置情報（Ｘ，Ｙ）及び時間情報（Ｔ）とを比較し、その比較の結果、各情報が実質的に一致していた場合、プロテクトを解除してパソコン２１６が使用可能状態となるように、パソコン２１６全体の動作制御を行う。
したがって、この場合、パソコン２１６のプロテクトが解除され、パソコン２１６は使用可能な状態となる。
【００３７】
一方、上記比較の結果、各情報が一致していない場合、処理回路２１６ａは、例えば、各情報が一致していないことを示すエラー情報を通信手段２１０ｂ及び２１０ａを順次介してカムコーダ２１５のビデオコントロール回路１０５に供給する。
カムコーダ２１５のビデオコントロール回路１０５は、通信手段２１０ａからのエラー情報により、エラー画面を表示するように、画像表示器１０２を制御する。
したがって、この場合には、画像表示器１０２にはエラー画面が表示され、パソコン２１６のプロテクトは解除されず、パソコン２１６は使用不可な状態のままとなる。
【００３８】
上述のことにより、パソコン２１６のプロテクトを具現化することができ、上述した第１の実施の形態と同様に、簡単なパスワードで特定の使用者以外の者に、パソコン２１６の高度なプロテクトを付加することができる。
【００３９】
つぎに、第３の実施の形態について説明する。
【００４０】
本発明に係るプロテクト方法は、例えば、図６に示すようなシステム３００により実施される。
また、このシステム３００は、本発明に係るプロテクト装置を適用したものである。
【００４１】
システム３００は、上記図５のシステム２００の構成を利用して、特定の使用者以外の者に、部屋鍵、オーディオ機器、エアコン等のプロテクトを付加するものである。
【００４２】
すなわち、システム３００は、上記図６に示すように、上記図５のシステム２００と同様の構成としているが、システム２００の構成に、キーロック回路３０１と電源制御回路３０２を加えた構成としている。
【００４３】
キーロック回路３０１は、例えば、図示していない部屋鍵に設けられたものであり、電源制御回路３０２は、例えば、図示していないオーディオ機器の電源やエアコンの電源に設けられたものである。
そして、キーロック回路３０１と電源制御回路３０２は、各々、通信回路２１０ａ及び２１０ｂに接続されており、これらの通信回路２１０ａ及び２１０ｂを介して、パソコン２１６により動作制御されるようになされている。
【００４４】
また、システム３００では、通信回路２１０ａ及び２１０ｂを、例えば、ＩＥＥＥ１３９４（Institute of Electrical and Electronics Engineers １３９４）としている。
【００４５】
尚、上記図６のシステム３００において、上記図５のシステム２００と同様に動作する箇所には同じ符号を付し、その詳細な説明は省略する。
【００４６】
先ず、上述した第２の実施の形態と同様にして、入力回路１１９で暗証番号が入力されると、その暗証番号情報は、パソコン２１６、通信手段２１０ｂ、及び通信手段２１０ａを順次介して、ビデオコントロール回路１０５に供給される。
【００４７】
次に、ビデオコントロール回路１０５は、通信手段２１０ａからの暗証番号情報により示される図示していないビデオデープの再生位置から再生処理を行うように、ビデオ再生回路１０４を制御する。
これにより、ビデオ再生回路１０４は、暗証番号により示された位置から上記ビデオテープの再生を行い、その再生画像情報を画像表示器１０２に供給する。したがって、画像表示器１０２には、上記図３に示したような動画像Ｇが画面表示される。
【００４８】
そして、上述した第２の実施の形態と同様にして、視線の入力が開始されると、その視線位置情報（Ｘ，Ｙ）は、視線検出回路１０３で検出され、視線位置コード化回路１０７でコード化され、通信手段２１０ａ及び２１０ｂを順次介してパソコン２１６に供給される。
また、これと同時に、上述したような時間情報（Ｔ）も、ビデオ再生回路１０４からビデオコントロール回路１０５、通信手段２１０ａ及び２１０ｂを順次介してパソコン２１６に供給される。
【００４９】
次に、パソコン２１６は、メモリ１１０に予め記憶されている情報（ｘ，ｙ，ｔ）と、通信手段２１０ｂからの位置情報（Ｘ，Ｙ）及び時間情報（Ｔ）とを比較する。
そして、パソコン２１６は、その比較の結果、各情報が実質的に一致していた場合、通信手段２１０ｂを介して、キーロック回路３０１や電源制御回路３０２のプロテクトを解除する。
したがって、この場合、キーロック回路３０１が設けられた部屋鍵や、電源制御回路３０２が設けられたオーディオ機器の電源、エアコンの電源のプロテクトが解除され、部屋鍵、オーディオ機器及びエアコンは使用可能な状態となる。
【００５０】
一方、上記比較の結果、各情報が一致していない場合、パソコン２１６は、例えば、各情報が一致していないことを示すエラー情報を通信手段２１０ｂ及び２１０ａを順次介してビデオコントロール回路１０５に供給する。
ビデオコントロール回路１０５は、通信手段２１０ａからのエラー情報により、エラー画面を表示するように、画像表示器１０２を制御する。
したがって、この場合には、画像表示器１０２にはエラー画面が表示され、キーロック回路３０１が設けられた部屋鍵や、電源制御回路３０２が設けられたオーディオ機器の電源、エアコンの電源のプロテクトは解除されず、部屋鍵、オーディオ機器及びエアコンは使用不可な状態のままとなる。
【００５１】
上述のことにより、簡単なパスワードで特定の使用者以外の者に、通信回路２１０ａ，２１０ｂに接続されている部屋鍵、オーディオ機器、エアコン等の機器の高度なプロテクトを付加することができる。
【００５２】
つぎに、第４の実施の形態について説明する。
【００５３】
本発明に係るプロテクト方法は、例えば、図７に示すようなシステム４００により実施される。
また、このシステム４００は、本発明に係るプロテクト装置を適用したものである。
【００５４】
システム４００は、上記図５のシステム２００と同様の構成としているが、上記図５のビデオ再生回路１０４とビデオコントロール回路１０５の代わりに、ディジタル／アナログ（Ｄ／Ａ）変換回路４０１を備えた構成としている。
そして、Ｄ／Ａ変換回路４０１には、通信回路２１０ａの出力が供給され、Ｄ／Ａ変換回路４０１の出力は、画像表示器１０２に供給されるようになされている。また、視線検出回路１０３及び視線位置コード化回路１０７の各出力は、通信回路２１０ａに供給されるようになされている。
【００５５】
また、システム４００は、例えば、ＣＤＲＯＭ（Conpact Disk Read Only Memory ）からなるメモリ４０２を備えており、このメモリ４０２は、パソコン２１６に接続されている。
【００５６】
さらに、システム４００では、通信回路２１０ａ及び２１０ｂを、例えば、ＩＥＥＥ１３９４としている。
【００５７】
尚、上記図７のシステム４００において、上記図５のシステム２００と同様に動作する箇所には同じ符号を付し、その詳細な説明は省略する。
【００５８】
先ず、入力回路１１９で暗証番号が入力されると、その暗証番号情報は、パソコン２１６に供給される。
【００５９】
ここで、パソコン２１６に設けられたメモリ４０２には、ディジタル化された動画像データと、時間情報（ｔ）とが対応して記憶されている。
そこで、パソコン２１６は、入力回路１１９からの暗証番号情報により示されるメモリ４０２の位置に記憶された動画像データを読み出し、通信回路２１０ｂ及び２１０ａを順次介してＤ／Ａ変換回路４０１に供給する。
また、これと同時にパソコン２１６は、読み出した動画像データに対応した時間情報（Ｔ）もメモリ４０２から読み出し、読み出した時間情報（Ｔ）を、視線の移動タイミングを示す時間情報（Ｔ）として図示していない内部メモリに記憶する。
【００６０】
次に、Ｄ／Ａ変換回路４０１は、通信回路２１０ａからの動画像データをアナログ化して、ビデオ信号に復元して画像表示器１０２に供給する。
したがって、画像表示器１０２には、上記図３に示したような動画像Ｇが画面表示される。
【００６１】
そして、上述した第２の実施の形態と同様にして、視線の入力が開始されると、その視線位置情報（Ｘ，Ｙ）は、視線検出回路１０３で検出され、視線位置コード化回路１０７でコード化され、通信手段２１０ａ及び２１０ｂを順次介してパソコン２１６に供給される。
【００６２】
次に、パソコン２１６は、メモリ１１０の（ｘ，ｙ，ｔ）と、通信手段２１０ｂからの視線位置情報（Ｘ，Ｙ）及び時間情報（Ｔ）とを比較する。
そして、パソコン２１６は、その比較の結果、各情報が実質的に一致していた場合、プロテクトを解除してパソコン２１６が使用可能な状態となるように、パソコン２１６全体の動作制御を行う。
したがって、この場合、パソコン２１６のプロテクトが解除され、パソコン２１６は使用可能な状態となる。
【００６３】
一方、上記比較の結果、各情報が一致していない場合、パソコン２１６は、例えば、各情報が一致していないことを示すエラー情報を通信手段２１０ｂ、２１０ａ、及びＤ／Ａ変換回路４０１を順次介して画像表示器１０２に供給し、そのエラー情報を画面表示するように画像表示器１０２を制御する。
したがって、この場合には、画像表示器１０２にはエラー画面が表示され、パソコン２１６のプロテクトは解除されず、パソコン２１６は使用不可な状態のままとなる。
【００６４】
上述のことにより、上述した第２の実施の形態と同様に、簡単なパスワードで特定の使用者以外の者に、パソコン２１６の高度なプロテクトを付加することができる。
【００６５】
【発明の効果】
以上説明したように本発明によれば、キーボードでパスワードを入力する方法よりも簡単にプロテクトの解除を行うことができるとともに、パスワードよりも強固なセキュリティを提供することができる。
【図面の簡単な説明】
【図１】第１の実施の形態において、本発明に係るプロテクト方法により実施されるプロテクト装置の構成を示すブロック図である。
【図２】上記プロテクト装置の動作を説明するためのフローチャートである。
【図３】上記プロテクト装置での視線によるパスワードを説明するための図である。
【図４】第２の実施の形態において、本発明に係るプロテクト方法により実施されるシステムの構成を示すブロック図である。
【図５】上記システム内の構成を示すブロック図である。
【図６】第３の実施の形態において、本発明に係るプロテクト方法により実施されるシステムの構成を示すブロック図である。
【図７】第４の実施の形態において、本発明に係るプロテクト方法により実施されるシステムの構成を示すブロック図である。
【符号の説明】
１００  プロテクト装置
１０１  アイパット
１０２  画像表示器
１０３  視線検出回路
１０４  ビデオ再生回路
１０５  ビデオコントロール回路
１０７  視線位置コード化回路
１１０  メモリ
１１４  パスワード確認回路
１１９  入力回路
１５０  使用者の目
【図１】
0003854671.tif 000002
【図２】
0003854671.tif 000003
【図３】
0003854671.tif 000004
【図４】
0003854671.tif 000005
【図５】
0003854671.tif 000006
【図６】
0003854671.tif 000007
【図７】
0003854671.tif 000008